(57)【要約】【課題】照明器具がバー材から落下するのを防止することができる取付金具及びこれを用いた照明装置を提供すること。【解決手段】取付金具は、照明器具をバー材に取り付けるものであって、照明器具を器具取付面において保持する本体金具と、本体金具を前記器具取付面側から支持しており、前記バー材の上部に載置される載置部材とを備える。【選択図】図５
2019149330.tif 000002
【特許請求の範囲】
【請求項１】
照明器具をバー材に取り付ける取付金具であって、
前記照明器具を器具取付面において保持する本体金具と、
前記本体金具を前記器具取付面側から支持しており、前記バー材の上部に載置される載置部材と、
を備えた取付金具。
【請求項２】
前記本体金具は、側面側に開口を有し、
前記載置部材は、前記開口に挿し込まれ、前記本体金具の前記器具取付面側に連結される支持部材を備える請求項１に記載の取付金具。
【請求項３】
前記本体金具は、
前記器具取付面が形成され、一方向へ延びる本体部と、
前記本体部の長手方向の両端に設けられ、前記開口が形成されており、前記器具取付面側へ突出した側面部と、
を有し、
前記載置部材は、
上端に前記支持部材が設けられており、前記バー材の上部の側方に位置決めされる基部と、
前記基部の側端から前記本体金具側に突出し、下端が前記バー材の上部に載置される側壁部と、
を備えた請求項２に記載の取付金具。
【請求項４】
前記本体金具は、前記照明器具から離れる方向に突出したリブが前記本体部の短手方向の縁部に設けられている請求項３に記載の取付金具。
【請求項５】
前記側壁部及び前記リブには、それぞれ互いに嵌り合う係止部が設けられている請求項４に記載の取付金具。
【請求項６】
前記本体金具に取り付けられ、前記側面部の下端よりも下側に突出した位置に前記バー材に引っ掛けられる引掛部を有し、前記取付金具の前記バー材の上部側への移動を規制する規制部材をさらに備える請求項３〜５のいずれか１項に記載の取付金具。
【請求項７】
請求項１〜６のいずれか１項に記載の取付金具と、
前記取付金具に保持される照明器具と、
を備えた照明装置。
【請求項８】
前記照明器具は、前記取付金具と連結するための固定具が収容される収納凹部を有する請求項７に記載の照明装置。
【発明の詳細な説明】
【技術分野】
【０００１】
本発明は、システム天井に設置される照明器具の取付金具及びこれを用いた照明装置に関するものである。
【背景技術】
【０００２】
従来、Ｔバーが格子状に組み立てられたシステム天井に照明器具を固定する際、器具本体の端面にＴバーの上側から引っ掛ける取付部材を用いることが提案されている（例えば特許文献１参照）。特許文献１の照明器具は、器具本体の上面に取り付けられる取付具と、取付具の上面からネジにより固定され、Ｔバー上に係止される係止具とを有する。
【先行技術文献】
【特許文献】
【０００３】
【特許文献１】特開平１０−１０６３３６号公報
【発明の概要】
【発明が解決しようとする課題】
【０００４】
しかしながら、特許文献１の係止具は、取付具の上面にネジにより固定されているため、器具の振動もしくは荷重によりネジが緩む場合がある。このとき、係止具がＴバーから外れ、照明器具が落下してしまうことも考えられる。
【０００５】
本発明は、上述のような課題を解決するためになされたものであり、照明器具がＴバーから落下するのを確実に防止することができる取付金具及びこれを用いた照明装置を提供することを目的とする。
【課題を解決するための手段】
【０００６】
本発明の取付金具は、照明器具をバー材に取り付ける取付金具であって、照明器具を器具取付面において保持する本体金具と、本体金具を器具取付面側から支持しており、バー材の上部に載置される載置部材と、を備えたものである。
【発明の効果】
【０００７】
本発明の取付金具及びこれを用いた照明装置によれば、本体金具を器具取付面側から支持しており、バー材の上部に載置される載置部材を備えたことにより、載置部材には、照明器具の荷重により本体金具からＴバーへ押し付ける方向の力が加わる。このため、本体金具と載置部材との連結状態が解除されてしまったとしても、本体金具は載置部材に支持された状態のままになるため、照明器具の落下を確実に防止することができる。
ことができる。
【図面の簡単な説明】
【０００８】
【図１】本発明の実施の形態１に係る照明装置が天井に取り付けられた様子を示す斜視図である。
【図２】図１の照明装置の分解斜視図である。
【図３】図１の照明装置が取り付けられるバー材の一例を示す断面図である。
【図４】本発明の実施の形態１に係る取付金具の一例を示す斜視図である。
【図５】図４の取付金具の側端の周辺を示す分解斜視図である。
【図６】図４の取付金具の側端の周辺を示す側面図である。
【図７】本発明の実施の形態１に係る照明器具がＴバーに取り付けられる際の動作例を示す図である。
【図８】本発明の実施の形態１に係る照明器具がＴバーに取り付けられる際の動作例を示す図である。
【発明を実施するための形態】
【０００９】
実施の形態１．
以下、図面を参照しながら本発明の照明器具の実施の形態について説明する。図１は、本発明の実施の形態１に係る照明装置が天井に取り付けられた様子を示す斜視図、図２は図１の照明装置の分解斜視図である。図１及び図２の照明装置１は、バー材ＴＢが組み立てられたシステム天井に設置されるものであって、光を出射する照明器具１Ａと、照明器具１Ａを保持する取付金具３０とを備える。
【００１０】
照明器具１Ａは、器具本体１０と、器具本体１０に収容された光源ユニット２０とを有する。器具本体１０は、一方向（矢印Ｘ方向）に延びた長尺の形状を有し、光源ユニット２０の一部が収容される凹状の収容部１１と、収容部１１の開口周縁から光軸方向（矢印Ｚ方向）に広がるように延びる反射部１２と、長手方向（矢印Ｘ方向）の側端に設けられた端板１３とを備える。収容部１１は、断面略矩形状に形成されており、収容部１１の開口側には光源ユニット２０が取り付けられる。収容部１１には、図示しない端子台及び各電気部品を接続するための電線などが収容されている。また、収容部１１に形成された収納凹部内には、器具本体１０と取付金具３０とを連結するボルトなどの固定具２が収容されており、収容部１１内の各部品は互いに干渉しないように収納されている。なお、器具本体１０の形状は、全体として断面略台形状に形成されているが、これに限らず種々の形状を採用することができ、例えば断面略直方体形状を有していてもよい。
【００１１】
光源ユニット２０は、一方向（矢印Ｘ方向）に延びた長尺の形状を有し、器具本体１０の開口側から光を照射する。光源ユニット２０は、例えば光を出射するＬＥＤが長手方向（矢印Ｘ方向）に並んで実装されたＬＥＤ基板と、発光基板が取り付けられるフレーム２１と、ＬＥＤ基板及び電源ユニットを覆うカバー２２とを有している。また、フレーム２１には、光源ユニット２０へ電力供給をするためのインバータ回路等を内蔵した電源装置（調光制御装置）２３が取り付けられており、電源装置２３は収容部１１内に収容される。なお、光源ユニット２０にはＬＥＤからなる光源を用いた場合について例示しているが、蛍光灯もしくは有機ＥＬ等を用いるようにしてもよい。
【００１２】
上述した照明器具１Ａは、取付金具３０を用いてバー材ＴＢに固定される。バー材ＴＢは、いわゆるＴバーと呼ばれるものであり、一方向（矢印Ｘ方向）に向かって延び、並行するように天井に複数設けられる。このバー材ＴＢの間に天井パネルが取り付けられるとともに、上述した照明器具１Ａが配置される。
【００１３】
図３は図１の照明装置が取り付けられるバー材ＴＢの一例を示す断面図である。図３のバー材ＴＢは、上下方向（矢印Ｚ方向）に延びるウェブＢＷと、ウェブＢＷの上端に設けられ、ウェブＢＷから幅方向（矢印Ｘ方向）に突出した頭部ＢＴと、ウェブＢＷの下端に設けられたフランジ部ＢＦとを有する。さらに、頭部ＢＴとフランジ部ＢＦとの間には、下側に屈曲したフック部ＢＫが設けられている。
【００１４】
図１〜図３に示すように、照明器具１Ａがバー材ＴＢに設置される際、器具本体１０の上面には、器具本体１０をバー材ＴＢに取り付けるための取付金具３０が固定される。そして、バー材ＴＢの頭部ＢＴ上に取付金具３０が載置されるとともに、フランジ部ＢＦ上に反射部１２の周縁が載置される。
【００１５】
図４は、本発明の実施の形態１に係る取付金具の一例を示す斜視図であり、図５は、図４の取付金具の側端の周辺を示す分解斜視図であり、図６は、図４の取付金具の側端の周辺を示す側面図である。図１〜図６の取付金具３０は、器具本体１０に固定される本体金具４０と、本体金具４０に取り付けられ、バー材ＴＢ上に載置される載置部材５０と、取付金具３０がバー材ＴＢから上方に外れることを抑制する規制部材６０を有する。
【００１６】
なお、図１及び図２においては、取付金具３０に照明器具１Ａの長手方向（矢印Ｘ方向）に設けられた板部３１が取り付けられており、板部３１を介して照明器具１Ａと連結されている。このように板部３１を介することで、より安定して照明器具１Ａを保持することができる。なお、板部３１を介さずに、照明器具１Ａと取付金具３０とが直接連結されていてもよい。
【００１７】
図４〜図６の本体金具４０は、器具本体１０の短手方向（矢印Ｙ方向）に延びる板状の部材であって、器具本体１０における収容部１１の底部にボルト等の固定具２を用いて固定される。本体金具４０は、板状の平板部４１と、平板部４１の長手方向（矢印Ｙ方向）の縁部に沿って上方に屈曲したリブ４２と、平板部４１の長手方向（矢印Ｙ方向）の両側端に設けられ、器具本体１０側へ屈曲した側面部４３を有している。
【００１８】
平板部４１は、長手方向（矢印Ｙ方向）において、平行する２つのバー材ＴＢ間をまたがたる長さを有する。平板部４１には、器具本体１０と連結する際に固定具２が挿入される取付孔４１ａが長手方向（矢印Ｙ方向）の略中央に形成されている。そして、平板部４１の器具取付面４０ｘに照明器具１Ａが固定されることになる。また、平板部４１の両端部側には載置部材５０をネジなどの固定具３２により固定するための固定孔４１ｂが形成されている。
【００１９】
リブ４２は、平板部４１の縁部を例えば直交する方向（矢印Ｚ方向）に折り曲げられ、照明器具１Ａから離れる方向に突出した形状を有する。リブ４２の長手方向（矢印Ｙ方向）の両端側には、載置部材５０の一部が差し込まれる挿入穴４２ａが形成されている。
【００２０】
側面部４３は、平板部４１の側端を例えば直交する方向（矢印Ｚ方向）に折り曲げられて形成されており、平板部４１と側面部４３との接続部分から下方に向かって開口４４が形成されている。また、側面部４３の下端には凹部４３ａが形成されており、側面部４３の側縁から外方（載置部材５０側）に向かって突出した突出片４３ｂが設けられている。また、リブ４２及び側面部４３は、平板部４１の剛性を向上させている。
【００２１】
載置部材５０は、本体金具４０を器具取付面４０ｘ側から支持し、バー材ＴＢの頭部（上部）ＢＴに載置されるものである。載置部材５０は、側面部４３と対向するように設けられた本体部５１と、本体部５１の両側縁から本体金具４０側へ延び、平板部４１の両端を挟み込む側壁部５２と、本体部５１の上端から本体金具４０側へ延びる支持部材５３とを有する。
【００２２】
本体部５１は、側面部４３に対向するように配置されており、側壁部５２の下端５２ｘよりもバー材ＴＢ側（矢印Ｚ方向）に突出した形状を有する。側面部４３と本体部５１との間にはバー材ＴＢの頭部ＢＴが挿入されることになる（図３参照）。このとき、本体部５１は、バー材ＴＢの頭部ＢＴの側面に位置し、側面部４３と協働して取付金具３０の長手方向（矢印Ｙ方向）の移動を規制する。
【００２３】
各側壁部５２には、対向する他方の側壁部５２側へ向かって突出した半円形状の突起部５２ａがそれぞれ形成されており、突起部５２ａは、リブ４２の挿入穴４２ａに挿入される。これにより、載置部材５０が本体金具４０の側端に対し仮固定されるとともに位置決めされる。なお、側壁部５２及びリブ４２には、それぞれ互いに嵌り合う係止部として、側壁部５２側に突起部５２ａが設けられ、リブ４２側に挿入穴４２ａが設けられている場合について例示しているが、嵌り合う構造を有していれば良く、側壁部５２側に挿入穴が設けられ、リブ４２側に突起部が設けられていても良い。
【００２４】
ここで、取付金具３０がバー材ＴＢ上に載置された際、側壁部５２の下端５２ｘがバー材ＴＢの頭部ＢＴ上で支持される。さらに、側壁部５２の下端５２ｘは、突出片４３ｂの下端と同じ高さに位置決めされる。したがって、突出片４３ｂも、側壁部５２と同様に、バー材ＴＢの頭部ＢＴにより支持された状態になっている。
【００２５】
支持部材５３は、本体部５１の上部から本体金具４０側へ折り曲げられて形成されている。支持部材５３は、２つの側壁部５２の間に設けられており、開口４４内に挿入されるものである。支持部材５３の先端側において、側壁部５２の間に隙間が形成されており、支持部材５３の先端側の幅は開口４４の幅よりも小さくなっている。支持部材５３の先端にはボルト等の固定具３２が挿入される固定孔５３ａが形成されており、支持部材５３の先端が開口４４に挿入された際、固定孔５３ａは、本体金具４０側の固定孔４１ｂ上に重なるように位置決めされる。そして、固定具３２が固定孔４１ｂ及び固定孔５３ａを貫通して固定されることにより、本体金具４０と載置部材５０とが連結される。このとき、載置部材５０は、支持部材５３により本体金具４０を器具取付面４０ｘ側から支持した状態になる。
【００２６】
規制部材６０は、本体金具４０に取り付けられており、取付金具３０がバー材ＴＢの上側へ移動するのを規制するものである。規制部材６０は、例えばＺ形状を有する板状の部材であって、側面部４３に沿って上下方向（矢印Ｚ方向）に延びる基部６１と、基部６１の一端側に設けられ、本体金具４０側に屈曲した固定部６２と、基部６１の他端側に設けられ、載置部材５０側に屈曲した引掛部６３とを有している。
【００２７】
基部６１は側面部４３よりも長く上下方向（矢印Ｚ方向）に延びており、固定部６２が本体金具４０に固定された際、引掛部６３が側面部４３及び本体部５１の下端よりも下側に位置するようになっている。また、基部６１は、側面部４３の幅方向（矢印Ｘ方向）において、凹部４３ａに重なる位置に位置決めされる。すると、設置時において規制部材６０が照明器具１Ａ側（矢印Ｙ方向）へ弾性変形したとき、基部６１が本体金具４０の凹部４３ａの間に挿入されることで、凹部４３ａが弾性変形のガイドとなり、意図しない方向へ基部６１が弾性変形するのを抑制することができる。
【００２８】
固定部６２は、開口４４に挿入された状態で本体金具４０の平板部４１に固定されるものであり、先端に固定具３２を挿入するための固定孔６２ａが形成されている。そして、支持部材５３と固定部６２とは、重ね合わされた状態で開口４４に挿入され、固定具３２により平板部４１に固定される。
【００２９】
引掛部６３は、基部６１の他端側において外側に向かって突出するように折れ曲がった形状を有し、側面部４３の下端よりも下側の位置において、バー材ＴＢのフック部ＢＫに引っ掛けられるものである（図３参照）。これにより、取付金具３０がバー材ＴＢの上側への移動を規制することができる。なお、規制部材６０は、板状の部材からなる場合について例示しているが、バネ材などの弾性材料で形成されていると良く、板材で形成された形状を図示しているが、線材などで形成しても良い。また、引掛部６３は、フック部ＢＫに引っ掛けられる場合について例示しているが、頭部ＢＴの下側に引っ掛けるようにしてもよい。この場合、基部６１の長さは、引掛部６３の先端が頭部ＢＴの下端に位置する長さになる。
【００３０】
図１〜図６を参照して、取付金具３０の組み立ての一例について説明する。はじめに、載置部材５０の支持部材５３と、規制部材６０の固定部６２とが、本体金具４０の開口４４の外側から挿入される。このとき、支持部材５３が平板部４１上を移動するとともに、２つの側壁部５２がリブ４２を挟んだ状態で移動する。そして、載置部材５０と規制部材６０が所定の位置まで挿し込まれると、側壁部５２の突起部５２ａがリブ４２の挿入穴４２ａに挿入され係止され仮固定される。また、取付孔４１ａの上に固定孔５３ａ及び固定孔６２ａが位置決めされ、本体金具４０と載置部材５０と規制部材６０とが固定具３２を用いて連結される。このように、本体金具４０と載置部材５０と規制部材６０とが１つの固定具３２により連結されるため、部品点数を少なくしながら組み立て作業の効率化を図ることができる。また、４２と側壁部５２とが仮固定されることにより、作業の効率化を図ることができる。
【００３１】
図７及び図８は、照明器具に取付金具を取り付けた照明装置がバー材に固定される様子を示す模式図であり、図１〜図８を参照して照明装置１をバー材ＴＢの取り付けする取り付け方法について説明する。図７に示すように、照明装置１の側面部４３と本体部５１との間にバー材ＴＢの頭部ＢＴが位置するように位置決めされ、照明装置１がバー材ＴＢの頭部ＢＴ側へ移動する。
【００３２】
すると、載置部材５０における側壁部５２の下端５２ｘがバー材ＴＢの頭部ＢＴに当たり、載置部材５０がバー材ＴＢ上に載置される。このとき、突出片４３ｂの下端もバー材ＴＢの頭部ＢＴ上に載置され、本体金具４０もバー材ＴＢにより支持された状態になる。よって、側壁部５２と突出片４３ｂのそれぞれで照明器具１Ａの負荷を分担することができ、それぞれの負荷を軽減することができる。この際、載置部材５０の支持部材５３が本体金具４０の器具取付面４０ｘ側から照明器具１Ａ及び本体金具４０を支持した状態になる。さらに、側面部４３と本体部５１とがバー材ＴＢの頭部ＢＴの側方に配置されることで、照明装置１の幅方向（矢印Ｙ方向）の移動が規制される。
【００３３】
また、照明装置１がバー材ＴＢの頭部ＢＴ側へ移動する際、規制部材６０の引掛部６３が、バー材ＴＢの頭部ＢＴに摺動しながら外側へ広がるように弾性変形する。このとき、規制部材６０は、弾性変形したときに本体金具４０の凹部４３ａの間に挿入される。これにより、照明装置１の長手方向（矢印Ｙ方向）への意図しない弾性変形するのを抑制される。そして、バー材ＴＢ上に側壁部５２の下端５２ｘが位置したとき、引掛部６３がバー材ＴＢのフック部ＢＫに引っ掛かる。このように、引掛部６３がバー材ＴＢに引っ掛かることで、照明装置１が上方向へ外れるのを抑制することができる。
【００３４】
上記実施の形態によれば、載置部材５０が本体金具４０を器具取付面４０ｘ側から支持するように組み立てられているので、固定具３２がはずれても、支持部材５３により支持された状態を維持する。これにより、固定具３２が外れても照明器具１Ａの落下を防止することができる。
【００３５】
また、載置部材５０は、側壁部５２の突起部５２ａがリブ４２の挿入穴４２ａと係合することで、固定具３２による連結前の仮固定をすることにより、組み立ての効率化を図ることができる。さらに、側壁部５２が平板部４１を挟持するように係合していることで、振動などによる照明器具１Ａの長手方向（矢印Ｘ方向）への負荷による変形もしくは破損を抑制することができる。
【００３６】
さらに、本体金具４０の開口４４に、支持部材５３および固定部６２を挿し込んで組み立てしていることで、固定具３２が１本で良く、部品を減らすことができるとともに、組み立てを効率的に行うことができる。また、支持部材５３が開口４４に挿入されているため、仮に固定具３２が外れた場合であっても、支持部材５３が本体金具４０の幅方向（矢印Ｘ方向）の動きを規制し、本体金具４０と支持部材５３とを外れにくくすることができる。
【００３７】
なお、本発明の実施の形態は、上記実施の形態に限定されず、種々の変更を行うことができる。例えば、側壁部５２の端部と突設部２１３ｃの端部は同じ高さになること説明を実施したが、同じ高さでなくてもよく、側壁部５２の端部が先にバー材ＴＢ頭部に当接するようにしても良い。
【００３８】
さらに、本体金具４０の開口４４に、載置部材５０の支持部材５３と固定部６２を挿し込む説明を行ったが、載置部材５０の支持部材５３だけ挿し込んでもよく、規制部材６０は側壁部５２より内側に設けても良い。
【００３９】
また、突起部５２ａは、半円形状の突起形状だけでなく、挿入穴４２ａと係合する形状であれば良い。また、突起と開口による係合だけでなく、爪形状と開口による係合でも良く、両方とも爪形状の係合であっても良い。
【符号の説明】
【００４０】
１  照明装置、１Ａ  照明器具、２  固定具、１０  器具本体、１１  収容部、１２  反射部、１３  端板、２０  光源ユニット、２１  フレーム、２２  カバー、２３  調光制御装置、３０  取付金具、３１  板部、３２  固定具、４０  本体金具、４０ｘ  器具取付面、４１  平板部、４１ａ  取付孔、４１ｂ  固定孔、４２  リブ、４２ａ  挿入穴、４３  側面部、４３ａ  凹部、４３ｂ  突出片、４４  開口、５０  載置部材、５１  本体部、５２  側壁部、５２ａ  突起部、５２ｘ  下端、５３  支持部材、５３ａ  固定孔、６０  規制部材、６１  基部、６２  固定部、６２ａ  固定孔、６３  引掛部、ＢＦ  フランジ部、ＢＫ  フック部、ＢＴ  頭部、ＢＷ  ウェブ、ＴＢ  バー材。
【図１】
2019149330.tif 000003
【図２】
2019149330.tif 000004
【図３】
2019149330.tif 000005
【図４】
2019149330.tif 000006
【図５】
2019149330.tif 000007
【図６】
2019149330.tif 000008
【図７】
2019149330.tif 000009
【図８】
2019149330.tif 000010